(57)【要約】    【課題】  本発明の目的は、災害発生を早期かつ確実に検出できる災害発生監視方法および装置を提供することにある。  本発明の目的は、通報受信者の負担を軽減し、緊急通報に対する対応を迅速に的確にできる消防緊急応答装置を提供することにある。    【解決手段】  衛星画像の配信センタ２にネットワーク３を介して監視端末４が接続されている。監視端末４は予め定めたエリアのエリア画像の配信要求を所定周期で配信センタに送信する。配信センタ２から今回配信されたエリア画像を表示装置７に表示し、今回配信されたエリア画像と前回配信されたエリア画像の差分画像を強調表示する。【選択図】  図１
2005078566.tif 000002
【特許請求の範囲】
【請求項１】
衛星画像の配信センタから予め定めたエリアのエリア画像の配信を受けて今回配信されたエリア画像を表示装置に表示し、前記表示装置に表示されている今回配信されたエリア画像が前回配信されたエリア画像と異なる画像を強調表示して前記エリア内での災害発生を監視することを特徴とする災害発生監視方法。
【請求項２】
衛星画像の配信センタから予め定めたエリアのエリア画像を周期的に配信を受けて今回配信されたエリア画像を表示装置に表示し、前記表示装置に表示されている今回配信されたエリア画像が前回配信されたエリア画像と変化している画像を強調表示して前記エリア内での災害発生を監視することを特徴とする災害発生監視方法。
【請求項３】
衛星画像の配信センタから予め定めたエリアのエリア画像を所定周期で配信を受けて画像処理して今回配信されたエリア画像を表示装置に表示し、前記表示装置に表示されている今回配信されたエリア画像と前回配信されたエリア画像の差分画像を強調表示して前記エリア内での災害発生を監視することを特徴とする災害発生監視方法。
【請求項４】
衛星画像の配信センタにネットワークを介して接続され、前記配信センタから予め定めたエリアのエリア画像の配信を受ける監視端末を備え、前記監視端末は前記配信センタから今回配信されたエリア画像を表示し、今回配信されたエリア画像が前回配信されたエリア画像と異なる画像を強調表示して前記エリア内での災害発生を監視することを特徴とする災害発生監視装置。
【請求項５】
衛星画像の配信センタにネットワークを介して接続され、前記配信センタから予め定めたエリアのエリア画像を周期的に配信を受ける監視端末を備え、前記監視端末は前記配信センタから今回配信されたエリア画像を表示し、今回配信されたエリア画像が前回配信されたエリア画像と変化している画像を強調表示して前記エリア内での災害発生を監視することを特徴とする災害発生監視装置。
【請求項６】
衛星画像の配信センタにネットワークを介して接続された監視端末を備え、前記監視端末は、予め定めたエリアのエリア画像の配信要求を所定周期で前記配信センタに送信する配信要求手段と、前記配信センタから今回配信されたエリア画像と前回配信されたエリア画像の差分画像を求め、前記差分画像を強調表示し今回配信されたエリア画像を表示装置に表示する画像処理手段とを具備することを特徴とする災害発生監視装置。
【発明の詳細な説明】
【技術分野】
【０００１】
本発明は、火災や水害などの災害の発生を監視する災害発生監視出方法および装置に関する。
【背景技術】
【０００２】
【特許文献１】特開２０００−１７７６９５号公報
【特許文献２】特開２００２−３２８０２１号公報
【０００３】
一般に、火災や水害などの災害発生は通報者からの通報によって確認し対策を講じている。災害状況は気球を打ち上げて撮影したり、ヘリコプターに搭載した撮影装置で撮影して把握するようにしている。このことは上記特許文献１又は特許文献２に記載されている。
【発明の開示】
【発明が解決しようとする課題】
【０００４】
火災や水害などの災害発生の緊急事態においては通報者の気が動転し、誤った状況、場所等を話したりして対応時間が長くなる。また、森林火災は発見が遅れるために通報も遅くなる。このように災害発生から災害対策を講じるまでに時間を費やし被害を拡大させるという問題点を有する。
【０００５】
このように、一刻を争う緊急事態においては、災害発生から速やかに的確な対策を講じることが重要であり、災害発生を早期かつ確実に検出できる災害発生監視技術の開発が強く望まれている。
【０００６】
本発明の目的は、災害発生を早期かつ確実に検出できる災害発生監視方法および装置を提供することにある。
【課題を解決するための手段】
【０００７】
本発明の特徴とするところは、衛星画像の配信センタから予め定めたエリアのエリア画像の配信を受けて今回配信されたエリア画像を表示し、表示されている今回配信されたエリア画像が前回配信されたエリア画像と異なる画像を強調表示してエリア内での災害発生を監視するようにしたことにある。
【０００８】
換言すると、本発明は前回エリア画像が配信された所定時間経過後における今回配信されたエリア画像と前回配信されたエリア画像の差分画像を強調表示するようにしたことにある。
【発明の効果】
【０００９】
本発明は、表示装置に表示されている配信センタから今回配信されたエリア画像の前回配信されたエリア画像と異なる差分画像を強調表示して災害発生を監視している。エリア画像の配信は２分〜３分程度の間隔であり、強調表示画像を詳細に確認することにより災害発生を早期かつ確実に確認することができる。
【発明を実施するための最良の形態】
【００１０】
衛星画像の配信センタにネットワークを介して監視端末が接続されている。監視端末は予め定めたエリアのエリア画像の配信要求を所定周期で配信センタに送信する。監視端末は配信センタから今回配信されたエリア画像を表示装置に表示し、今回配信されたエリア画像と前回配信されたエリア画像の差分画像を強調表示する。
【実施例】
【００１１】
図１に本発明の一実施例を示す。
図１において、図示しない衛星（静止衛星）で撮影された衛星画像（地表面画像）は衛星画像受信センタ１で受信され配信センタ２に送信される。衛星で撮影した衛星画像はリアルタイムで配信センタ２に送信され、衛星画像データベース１０に格納される。配信センタ２はネットワーク３に接続されている。ネットワーク３には監視端末４が接続されている。配信センタ２と監視端末４はネットワーク３を介して接続されている。ネットワーク３には多数の監視端末４が接続されているが、図では１台のみを示している。
【００１２】
監視端末４は配信センタ２と配信を受けるエリア画像の範囲が予め契約などで決められている。エリア画像の範囲は、例えば、市町村単位や消防の管理区域などによって定められる。監視端末４を構成する配信要求部５は入出力部９を介して予め定めたエリア画像の配信要求信号を配信センタ２に送信する。配信要求部５は配信要求信号を２分〜３分程度の周期で周期的に送信する。
【００１３】
配信センタ２から配信されたエリア画像は入出力部９を介して画像処理部６に入力される。画像処理部６は今回配信されたエリア画像を表示装置７に表示する。また、画像処理部６は今回配信されたエリア画像と画像ファイル８に格納されている前回配信されたエリア画像の差分画像を求め、表示装置７に表示されている今回配信されたエリア画像の差分画像部分を強調表示する。表示装置７に今回配信されたエリア画像の表示と差分画像部分の強調表示は略同時に行われる。
【００１４】
次に、動作を火災発生の例を挙げ説明する。
【００１５】
図示しない衛星（静止衛星）で撮影された衛星画像（地表面画像）は衛星画像受信センタ１で受信され配信センタ２に送信される。衛星で撮影した衛星画像はリアルタイムで配信センタ２に送信され、衛星画像データベース１０に格納される。監視端末４の配信要求部５は予め定めたエリア画像の配信要求信号を配信センタ２に送信する。配信要求部５は配信要求信号を２分〜３分程度の周期で周期的に送信する。
【００１６】
配信センタ２は配信要求信号を受信すると衛星画像データベース１０を検索して監視端末４に対し予め定めたエリアのエリア画像を配信する。配信センタ２からネットワーク３を介して配信されたエリア画像は入出力部９を介して画像処理部６に入力される。画像処理部６は今回配信されたエリア画像を表示装置７に表示する。また、画像処理部６は今回配信されたエリア画像と画像ファイル８に格納されている前回配信されたエリア画像の差分画像を求める。画像処理部６は差分画像が無い場合には表示装置７に図２に示すようなエリア画像が表示される。監視員は表示装置７に表示されているエリア画面を見て火災が発生していないことを確認する。
【００１７】
前回のエリア画像配信時から今回の配信時の間に例えば「Ａ商店」に火災が発生すると、今回配信されたエリア画像は前回配信されたエリア画像と異なり変化している。画像処理部６は今回配信されたエリア画像と前回配信されたエリア画像の差分画像を求める。「Ａ商店」の家枠はハッチングを施したように強調表示される。強調表示にはフリッカー表示や色分け表示などがある。
【００１８】
監視員は強調表示されている「Ａ商店」の近傍を指定して拡大表示などを行い火災が発生していることを確認する。監視員は火災発生を確認すると「Ａ商店」の場所を特定して
消防車の出動を要請する。
【００１９】
このようにして災害発生を監視するのであるが、表示装置に表示されている配信センタから今回配信されたエリア画像の前回配信されたエリア画像と異なる差分画像を強調表示して災害発生を監視している。エリア画像の配信は２分〜３分程度の間隔であり、強調表示画像を詳細に確認することにより災害発生を早期かつ確実に確認することができる。災害発生を早期に確認できるために災害の被害を最小限にすることが可能となる。
【００２０】
なお、上述の実施例は火災災害の場合について説明したが、水害などの他の災害についても同様に行えるのは明らかなことである。
【００２１】
また、上述の実施例は監視端末にエリア画像を周期的に入力するようにしているが、状況によって可変にしても良いことは勿論のことである。
【図面の簡単な説明】
【００２２】
【図１】本発明の一実施例を示す構成図である。
【図２】本発明を説明するための表示画面の一例図である。
【図３】本発明を説明するための表示画面の一例図である。
【符号の説明】
【００２３】
１…衛星画像受信センタ、２…配信センタ、３…ネットワーク、４…監視端末、５…配信要求部、６…画像処理部、７…表示装置、８…画像ファイル、９…入出力部、１０…衛星画像データベース。
【図１】
2005078566.tif 000003
【図２】
2005078566.tif 000004
【図３】
2005078566.tif 000005